(57)【要約】【課題】照明される装飾部の着脱が容易でリユース性を向上させ得る遊技機を提供する。【解決手段】板状部材２０に配設される枠状装飾部材３１は、板状部材２０に開設した第１装着口２８の内側に臨む枠状基部３７を備える。枠状装飾部材３１に、枠状基部３７より開口部の中央部側に延在する光透過性の第３装飾部品５５が着脱自在に配設される。設置部材１９に、第３装飾部品５５に後側から光を照射可能な発光装置７４が配設される。第３装飾部品５５および枠状装飾部材３１にネジ止め固定される第１取着部材５８は、板状部材２０から設置部材１９を取り外すことで裏側に露出する。板状部材２０の裏側から枠状装飾部材３１と第１取着部材５８とのネジ止めまたは第３装飾部品５５と第１取着部材５８とのネジ止めを解除することで、第３装飾部品５５を枠状装飾部材３１から取り外すことができる。【選択図】図１０
2015029852.tif 000002
【特許請求の範囲】
【請求項１】
遊技球が流下する遊技領域が前側に設けられた板状部材と、該板状部材の裏側に着脱可能に取り付けられる設置部材と、前記板状部材に配設され、開口部を介して設置部材に配設された図柄表示装置の表示部を前側に臨ませる枠状装飾部材とを備えた遊技機において、
前記枠状装飾部材は、前記板状部材に開設した貫通孔の内側に臨む枠状基部を備え、
前記枠状基部の内側に設けられ、前記板状部材から設置部材を取り外した状態で板状部材の裏側に露出する取付部と、
前記取付部の前側を覆うように枠状基部から前記開口部の中央部側に延在し、前記板状部材の裏側から固定手段によって該取付部に対して着脱自在に固定される光透過性の装飾部と、
前記設置部材に配設され、前記装飾部を裏側から照明する発光体が実装された発光基板とを備え、
前記発光基板と装飾部とは、発光体の光軸に対して装飾部の裏面が傾斜するように配置される
ことを特徴とする遊技機。
【請求項２】
前記取付部は発光体の前側に位置し、該発光体から照射された光を取付部で拡散して装飾部を照明するよう構成される請求項１記載の遊技機。
【請求項３】
前記枠状基部には、前記発光基板の前側に臨む部位に光を透過可能な基部側光透過部が設けられると共に、該基部側光透過部の外側に位置する前記板状部材に、光を透過可能な板側光透過部が設けられ、前記発光体から照射されて基部側光透過部を透過した光によって板状部材の板側光透過部が照明されるよう構成される請求項１または２記載の遊技機。
【発明の詳細な説明】
【技術分野】
【０００１】
この発明は、板状部材に配設された枠状装飾部材を照明するよう構成された遊技機に関するものである。
【背景技術】
【０００２】
代表的な遊技機であるパチンコ機は、前面に遊技領域が画成された板状部材と、該板状部材の裏側に配設された設置部材とから遊技盤が構成され、板状部材の略中央位置に枠状の装飾部材(所謂センター役物)が配設されると共に、設置部材に複数の図柄を変動表示して図柄変動演出を行う液晶式やドラム式等の図柄表示装置が配設されて、該図柄表示装置の表示部を枠状装飾部材の開口部に後方から臨ませて、該開口部を介して表示部で実行される演出を前側から視認可能に構成されている。また、板状部材における枠状装飾部材の下方位置に、パチンコ球(遊技球)の入賞により図柄表示装置での変動を開始させる始動入賞装置や大当り時等に開放する特別入賞装置を配設するよう構成されたものが多数提案されている。この種のパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、所定数の賞球が払い出されると共に、前記図柄表示装置での図柄変動演出に伴うリーチ演出等の各種の遊技演出がなされ、該図柄表示装置に図柄が所定の組合わせで停止することにより所謂大当りが発生し、前記特別入賞装置が開放して多数の賞球を獲得し得るよう構成される。
【０００３】
また、パチンコ機では、枠状装飾部材に配設した装飾体の裏側に、発光体を備えた発光装置を配設し、図柄表示装置の図柄変動演出に合わせて発光体を点灯したり点滅等することで、演出効果の向上を図ることが行われている(例えば、特許文献１参照)。
【先行技術文献】
【特許文献】
【０００４】
【特許文献１】特開２００８−５１２号公報
【発明の開示】
【発明が解決しようとする課題】
【０００５】
昨今、ホール側のニーズに対応するべく、大当り確率等のスペックを異ならせた複数種類のパチンコ機をシリーズで提供することが求められている。例えば、大当り確率が低く目に設定されたメインスペックのパチンコ機を提供した後に、メインスペックより大当り確率を高目に設定した、所謂「甘デジタイプ」のパチンコ機を提供することが行われている。「甘デジタイプ」のパチンコ機は、遊技者に認知されているメインスペックのパチンコ機の外観および演出内容を受け継ぐことで、遊技者が親しみ易いように構成されている。一方で、「甘デジタイプ」であることを認識させたり、あるいはホール毎の特色を出したいという要請から、枠状装飾部材に設けられた装飾体のデザインを若干変更する場合がある。しかしながら、前記特許文献１のように装飾体に発光装置を配設した構造では、発光装置がパチンコ機の裏側に配設した制御基板に配線接続されているために、枠状装飾部材から装飾体のみを取り外す作業が煩雑で手間が掛かる難点がある。
【０００６】
ここで、近年では、資源の枯渇、ゴミ排出に伴う処理コストの増大による環境問題が発生する危惧から、パチンコ機においても、使用期間が長くなったものの全ての部品を廃棄処分することなく可能な限り再使用するリユースが求められている。しかしながら、装飾体に発光装置が配設されている構造では、装飾体と発光装置とを分解するのに手間が掛かることから、発光装置が配設された装飾体を再利用することなく廃棄しているのが現状であり、リユース性が高いとは言い難かった。
【０００７】
すなわち本発明は、従来の技術に係る遊技機に内在する前記課題に鑑み、これを好適に解決するべく提案されたものであって、照明される装飾部の着脱が容易でリユース性を向上させ得る遊技機を提供することを目的とする。
【課題を解決するための手段】
【０００８】
前記課題を克服し、所期の目的を達成するため、本願の請求項１に係る発明は、
遊技球が流下する遊技領域(21)が前側に設けられた板状部材(20)と、該板状部材(20)の裏側に着脱可能に取り付けられる設置部材(19)と、前記板状部材(20)に配設され、開口部(31a)を介して設置部材(19)に配設された図柄表示装置(18)の表示部を前側に臨ませる枠状装飾部材(31)とを備えた遊技機において、
前記枠状装飾部材(31)は、前記板状部材(20)に開設した貫通孔(28)の内側に臨む枠状基部(37)を備え、
前記枠状基部(37)の内側に設けられ、前記板状部材(20)から設置部材(19)を取り外した状態で板状部材(20)の裏側に露出する取付部(58,61,82)と、
前記取付部(58,61,82)の前側を覆うように枠状基部(37)から前記開口部(31a)の中央部側に延在し、前記板状部材(20)の裏側から固定手段によって該取付部(58,61,82)に対して着脱自在に固定される光透過性の装飾部(55)と、
前記設置部材(19)に配設され、前記装飾部(55)を裏側から照明する発光体(76a)が実装された発光基板(76)とを備え、
前記発光基板(76)と装飾部(55)とは、発光体(76a)の光軸に対して装飾部(55)の裏面が傾斜するように配置されることを要旨とする。
【０００９】
請求項１の発明によれば、枠状装飾部材に配設した装飾部を照明する発光基板を設置部材に設けると共に、取付部に対する装飾部の着脱を板状部材の裏側から行い得るよう構成したので、板状部材と設置部材とを分離することで装飾部を簡単に取り替えることができる。すなわち、装飾部を別のデザインのものに簡単に取り替えることができ、ユーザーの要請に容易に応えることができる。また、発光基板と装飾部とは別体であるので、リユースに際して装飾部から発光基板を取り外す必要はなく、リユース性が向上する。更に、発光体の光軸に対して装飾部が傾斜する関係となるように発光基板および装飾部を配置したので、発光体の光によって装飾部の広い範囲を照明して発光演出効果を向上し得る。
【００１０】
請求項２に係る発明では、前記取付部(58,82)は発光体(76a)の前側に位置し、該発光体(76a)から照射された光を取付部(58,82)で拡散して装飾部(55)を照明するよう構成されることを要旨とする。
請求項２の発明によれば、装飾部の取付部を利用して発光体の光を拡散して該装飾部を照明し得るので、別途拡散手段を設ける必要はなく、簡単な構成で発光演出効果を向上し得る。
【００１１】
請求項３に係る発明では、前記枠状基部(37)には、前記発光基板(76)の前側に臨む部位に光を透過可能な基部側光透過部(79)が設けられると共に、該基部側光透過部(79)の外側に位置する前記板状部材(20)に、光を透過可能な板側光透過部(80)が設けられ、前記発光体(76a)から照射されて基部側光透過部(79)を透過した光によって板状部材(20)の板側光透過部(80)が照明されるよう構成されることを要旨とする。
請求項３の発明によれば、装飾部を照明する発光体の光によって板状部材の板側光透過部を照明することができ、部品点数を削減し得る。
【発明の効果】
【００１２】
本発明に係る遊技機によれば、装飾部の変更に簡単に対応し得ると共にリユース性も向上し得る。
【図面の簡単な説明】
【００１３】
【図１】本発明の実施例に係るパチンコ機を示す正面図である。
【図２】実施例のパチンコ機を、中枠に対して前枠を開放した状態で示す概略斜視図であって、前枠の透視保護板や遊技盤における案内レールの内側に配設される各種遊技部品を省略している。
【図３】実施例に係る遊技盤を示す概略正面図である。
【図４】実施例に係る板状部材、設置部材および枠状装飾部材を分解して前側から見た概略斜視図である。
【図５】実施例に係る設置部材を前側から視た要部概略斜視図である。
【図６】実施例に係る設置部材、発光装置および枠状装飾部材を分離して前側から見た概略斜視図である。
【図７】実施例に係る枠状装飾部材の要部背面図である。
【図８】実施例に係る第３装飾部品を示す背面図である。
【図９】実施例に係る第１取着部材を示す図であって、(ａ)は正面図であり、(ｂ)は平面図である。
【図１０】実施例に係る遊技盤の要部横断面図であって、発光装置と第３装飾部品との関係を示している。
【図１１】実施例に係る遊技盤を、発光装置に設けた位置決め部の位置で横断した要部断面図である。
【図１２】実施例に係る遊技盤を、第３装飾部品を枠状装飾部材に取り付けるための第１取着部材の位置で縦断した要部断面図である。
【図１３】別実施例に係る遊技盤の要部概略横断面図である。
【図１４】第１取着部材の変更例を示す説明図である。
【発明を実施するための形態】
【００１４】
次に、本発明に係る遊技機につき、好適な実施例を挙げて、添付図面を参照しながら以下詳細に説明する。なお、実施例では、遊技球としてパチンコ球を用いて遊技を行うパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１５】
(パチンコ機１０について)
実施例に係るパチンコ機１０は、図１および図２に示すように、前後に開口する矩形枠状に形成されて遊技店の図示しない設置枠台に縦置き姿勢で設置される固定枠としての外枠１１の開口前面側に、遊技盤Ｍを着脱可能に保持する本体枠としての中枠１２が開閉および着脱可能に組み付けられて、該遊技盤Ｍの裏側に、各種図柄を変動表示可能な図柄表示装置１８が着脱可能に配設されている。また、前記中枠１２の前面側には、前記遊技盤Ｍを透視保護するガラス板や透明な合成樹脂材により形成された透視保護板１３ｂで前後に開口する窓部１３ａを覆うよう構成された前枠１３が開閉可能に組み付けられると共に、該前枠１３の下方にパチンコ球を貯留する下球受け皿１５が開閉可能に組み付けられる。なお、実施例では、前記前枠１３の下部位置に、パチンコ球を貯留する上球受け皿１４が一体的に組み付けられており、前枠１３の開閉に合わせて上球受け皿１４も一体的に開閉するよう構成される。なお、実施例では、前記図柄表示装置１８としては、各種図柄を表示可能な液晶パネルを収容ケースに収容した液晶表示装置が採用されるが、これに限られるものではなく、ドラム式の図柄表示装置やドットマトリックス式の図柄表示装置等の各種図柄を停止および変動表示可能な従来公知の各種の図柄表示装置を採用し得る。また、前記上球受け皿１４は、前記前枠１３と別体に形成してもよい。なお、球受け皿については、上下２枚の球受け皿１４,１５を備えるものに限らず、１枚の球受け皿のみを設ける構成であってもよい。
【００１６】
前記前枠１３の右下方位置には、前記中枠１２に配設された打球発射装置１６を作動する操作ハンドル１７が設けられている。前記操作ハンドル１７は、左回転方向に付勢された操作レバー１７ａを備えており、該操作レバー１７ａを右回転するよう遊技者が回動操作することで打球発射装置１６が作動されて、前記上球受け皿１４に貯留されたパチンコ球が前記遊技盤Ｍに向けて発射されるようになっている。ここで、前記操作レバー１７ａの回動量に応じて前記打球発射装置１６によるパチンコ球の打球力が強弱変化するよう構成されており、遊技者が操作レバー１７ａの回動量を操作することで、前記遊技盤Ｍに形成された第１球流下経路２１ａ(後述)をパチンコ球が流下する所謂「左打ち」と、該遊技盤Ｍに形成された第２球流下経路２１ｂ(後述)をパチンコ球が流下する所謂「右打ち(ゴム打ち)」とを打ち分け得るようになっている。
【００１７】
(遊技盤Ｍについて)
本実施例では、所定板厚の略矩形状に形成された木材板の表面に各種絵柄等が描かれた合成樹脂シート(図示せず)等を貼付けて装飾した板状部材２０と、該板状部材２０の裏側に着脱自在に取り付けられる設置部材１９とから遊技盤Ｍが構成されている(図４参照)。板状部材２０の表面には、略円形状に湾曲形成された案内レール２３が配設され、該案内レール２３によってパチンコ球が流下可能な遊技領域２１が画成されている。なお、前記図柄表示装置１８は、設置部材１９の裏側に取り付けられて、後述するように該設置部材１９に設けた開口部１９ａおよび後述する枠状装飾部材３１に設けた開口部３１ａを介して板状部材２０の前側に臨むよう構成される。
【００１８】
前記案内レール２３は、図３に示す如く、板状部材２０の左下部から右上部に至るよう左方向に膨出する円弧状に形成された外レール２４と、板状部材２０の右上部、右下部および左上部に至るよう右方向に膨出する円弧状に形成された内レール２５,２６とから構成されている。前記内レール２５,２６は、外レール２４の右上端部に連接して板状部材２０の右上部から下部に亘って配設され、左端縁が右方に凹む円弧状に形成された盤面飾り部材２５と、板状部材２０の下部から左上部に亘って配設されて盤面飾り部材２５の下端部に連接し、前記外レール２４の右方(内側)に離間して位置するレール部材２６とから構成され、該外レール２４およびレール部材２６により１個のパチンコ球が通過可能な発射通路２３ａが画成されている。ここで、前記内レールを構成するレール部材２６は、前記板状部材２０の左上部に開放端を臨ませて外レール２４との間に遊技領域２１に開口する打出し口２３ｂを画成するよう構成されて、前記打球発射装置１６から発射されたパチンコ球が発射通路２３ａの下方開口から飛翔して、レール部材２６の開放端側の打出し口２３ｂから遊技領域２１内に打ち出されるようになっている。
【００１９】
図３に示す如く、前記外レール２４と盤面飾り部材２５との接続位置は、外レール２４および盤面飾り部材２５の曲率の相違から段差が形成されており、該段差部分に緩衝ゴム(減勢部)２７が配設されている。すなわち、前記外レール２４の終端位置に臨むよう緩衝ゴム２７が配設されて、前記打球発射装置１６から発射されて外レール２４に沿って終端位置まで移動して緩衝ゴム２７に当接したパチンコ球を減勢し得るようになっている。なお、前記緩衝ゴム２７は、前記第２球流下経路２１ｂに位置している。
【００２０】
(板状部材２０の装着口２８)
前記板状部材２０には、図４に示す如く、前後に貫通する装着口２８が前記遊技領域２１内に複数開設されて、各装着口２８に対して各種遊技部品が前側から取り付けられると共に、遊技領域２１の最下部位置には、該遊技領域２１に開口する第１アウト口(アウト口)２９が開設されており、遊技領域２１に打ち出されて第１アウト口２９に入球したパチンコ球が機外に排出されるよう構成される。また、前記板状部材２０には、前記遊技領域２１内に多数の遊技釘３０が植設されており、遊技領域２１を流下するパチンコ球が遊技釘３０に接触することでパチンコ球の流下方向を不規則に変化させるようになっている。なお、前記装着口２８の形成数は、板状部材２０に対して取り付けられる各種遊技部品の個数や配設位置等により必要に応じて適宜決定される。
【００２１】
実施例の前記板状部材２０には、図４に示す如く、前記案内レール２３で囲まれた遊技領域２１の略中央の大部分が開口する第１装着口(貫通孔)２８に、前後に開口する開口部３１ａが形成された枠状装飾部材３１が取り付けられ、該枠状装飾部材３１の開口部３１ａを介して図柄表示装置１８の表示部が板状部材２０(遊技盤Ｍ)の前面側に臨むよう構成されている。そして、第１装着口２８(枠状装飾部材３１)の下方に開設された第２装着口(図示せず)に、遊技領域２１(後述する第１球流下経路２１ａ)を流下するパチンコ球が入賞可能な第１始動入賞口３２ａを有する第１始動入賞装置３２が取り付けられ、該第２装着口(第１始動入賞装置３２)の右方から上方にかけて開設された第３装着口(図示せず)に、遊技領域２１(後述する第２球流下経路２１ｂ)を流下するパチンコ球が入賞可能な特別入賞装置３３が取り付けられている。また、実施例のパチンコ機１０では、前記枠状装飾部材３１における特別入賞装置３３の上方であって第２球流下経路２１ｂに臨む位置に、該第２球流下経路２１ｂを流下するパチンコ球が入賞可能な第２始動入賞口３４ａを有する第２始動入賞装置３４が設けられている。更に、枠状装飾部材３１には、第２始動入賞口３４ａの上側において、第２球流下経路２１ｂに開口するよう第２アウト口５２が設けられており、第２球流下経路２１ｂを流下するパチンコ球を第２アウト口５２で回収して機裏側に通出し得るよう構成される。
【００２２】
実施例のパチンコ機１０では、前記第１始動入賞装置３２に設けられた第１始動入賞口３２ａまたは第２始動入賞装置３４に設けられた第２始動入賞口３４ａに遊技領域２１を流下するパチンコ球が入賞することで、前記図柄表示装置１８において図柄が変動表示されて図柄変動演出が展開され、該図柄変動演出の結果、図柄表示装置１８に所定の図柄組み合わせ(例えば同一図柄の３つ揃い等)で図柄が停止表示されることで所謂大当り(当り)が発生し、大当りの発生に伴って前記特別入賞装置３３が開放して多数の賞球を獲得し得る機会が与えられるようになっている。ここで、前記第１始動入賞装置３２は、第１始動入賞口３２ａが遊技領域２１に常時開放する常時開放型の入賞装置とされ、前記第２始動入賞装置３４は、所定の開放条件および閉鎖条件に従って第２始動入賞口３４ａが開閉部材３５により開閉される開閉型の入賞装置とされている。そして、前記特別入賞装置３３は、開閉体３３ａにより特別入賞口３３ｂを常には閉鎖(入賞不能状態と)するよう構成され、大当りの発生に伴って特別入賞口３３ｂを開放(入賞可能状態と)するよう構成されている。
【００２３】
(球通過ゲート３６について)
前記板状部材２０には、図３に示す如く、前記枠状装飾部材３１より右側に画成されている前記第２球流下経路２１ｂに、パチンコ球が通過可能な球通過ゲート３６が配設されている。球通過ゲート３６には、該ゲート３６をパチンコ球が通過したことを検知するゲートセンサ(図示せず)が配設される。そして、ゲートセンサが接続される図示しない制御装置は、該ゲートセンサの球検知に基づき前記第２始動入賞装置３４の開閉部材３５を開放するか否かの始動口開放抽選を行うよう構成されている。そして、始動口開放抽選に当選した場合に、制御装置は前記第２始動入賞装置３４を制御して開閉部材３５を開放するよう設定される。
【００２４】
(特別入賞装置３３について)
前記枠状装飾部材３１に配設した第２始動入賞装置３４より下側の遊技領域２１(第２球流下経路２１ｂ)の板状部材２０に配設された前記特別入賞装置３３は、特別入賞口３３ｂが開閉体(開閉部材)３３ａで常には閉鎖されている。そして、前記図柄表示装置１８での図柄変動の結果、図柄表示装置１８の表示部に所定の図柄組み合わせ(例えば同一図柄の三つ揃い等)で図柄が停止表示されることで所謂「大当り」が発生した場合に、前記制御装置によって開閉体３３ａを開放するよう作動制御し、これにより遊技領域２１(第２球流下経路２１ｂ)に開口した特別入賞口３３ｂへの入賞により多数の賞球を獲得し得るように構成されている。特別入賞装置３３には、前記特別入賞口３３ｂより下側に、遊技領域２１を流下するパチンコ球が入賞可能な普通入賞口５０が設けられている(図３参照)。
【００２５】
(枠状装飾部材３１について)
前記板状部材２０に配設される前記枠状装飾部材３１は、図４に示す如く、前記板状部材２０に開設された前記第１装着口２８の内側に沿って延在する環状に形成された枠状基部３７と、該枠状基部３７に設けられて前記板状部材２０の前面より前方に突出し、前記遊技領域２１と図柄表示装置１８の表示部(表示領域)を区切る庇状部３８と、該庇状部３８の後縁から外方に延出する薄板状の台板部３９とを備える。そして、前記枠状基部３７を第１装着口２８に挿入すると共に台板部３９を板状部材２０の前面に当接した状態で、該台板部３９をネジ等の固定手段で板状部材２０に固定することで、枠状装飾部材３１が板状部材２０に取り付けられる。ここで、前記庇状部３８は、図３に示す如く、前記枠状装飾部材３１(枠状基部３７)の左側縁の中間位置から上縁および右下縁に亘って連続して延在するよう設けられており、図柄表示装置１８の前面側を横切ってパチンコ球が流下(落下)するのを規制している。
【００２６】
前記枠状装飾部材３１には、図３,図４に示す如く、開口部３１ａの下側に、ステージ４２が配設されると共に、開口部３１ａの左側に、遊技領域２１に開口して該遊技領域２１を流下するパチンコ球を取り込んでステージ４２に案内する球導入部４３が設けられ、該球導入部４３からステージ４２に通出されたパチンコ球は、ステージ４２上を左右に転動した後に、前記第１始動入賞装置３２が配設されている遊技領域２１に排出される。またステージ４２の後端縁には、左右方向の全長に亘って上側に向けて所定高さで立上がる透明壁４４が設けられ、ステージ４２上を転動するパチンコ球が図柄表示装置１８の表示部側に移動するのを該透明壁４４で防止している。
【００２７】
前記庇状部３８は、図３に示す如く、最上部位置から左右方向に下方傾斜するよう形成されて、遊技領域２１に打ち出されたパチンコ球が庇状部３８上で滞ることなく前記枠状装飾部材３１の左側方または右側方へ誘導されるよう形成されている。すなわち、前記板状部材２０に画成された遊技領域２１には、前記枠状装飾部材３１の左側方をパチンコ球が流下する第１球流下経路２１ａ、および該枠状装飾部材３１の上方から右側方をパチンコ球が流下する第２球流下経路２１ｂが設けられており、前記打出し口２３ｂから遊技領域２１に打ち込まれたパチンコ球は、第１球流下経路２１ａおよび第２球流下経路２１ｂの何れかを流下するよう構成される。換言すると、前記打球発射装置１６により遊技領域２１内に発射されたパチンコ球は、到達位置に応じて前記枠状装飾部材３１およびレール部材２６(内レール２５,２６)の間に形成される第１球流下経路２１ａか、或いは枠状装飾部材３１、外レール２４および盤面飾り部材２５(内レール２５,２６)の間に形成される第２球流下経路２１ｂの何れかを流下する。そして、実施例に係るパチンコ機１０では、前記第１球流下経路２１ａをパチンコ球が流下する場合(左打ちした場合)に、パチンコ球が第２球流下経路２１ｂを流下する場合に較べて第１始動入賞装置３２の第１始動入賞口３２ａにパチンコ球が入賞する可能性が高くなるよう構成されると共に、該第２球流下経路２１ｂをパチンコ球が流下する場合(右打ちの場合)に、パチンコ球が第１球流下経路２１ａを流下する場合に較べて特別入賞装置３３の特別入賞口３３ｅや第２始動入賞装置３４の第２始動入賞口３４ａへパチンコ球が入賞する可能性が高くなるよう構成されている。なお、庇状部３８における前記開口部３１ａの上方に臨む略弧状に形成されている領域において、外レール２４との離間間隔は、パチンコ球１個分の幅寸法より大きく、かつ遊技球２個分の幅寸法より小さな幅寸設に設定されている。
【００２８】
(装飾部品５３,５４,５５,５６について)
前記枠状装飾部材３１の枠状基部３７や庇状部３８の前側に、各種の意匠が施された光透過性の装飾部品５３,５４,５５,５６が配設され、該装飾部品５３,５４,５５,５６および前記透明壁４４によって前記図柄表示装置１８の表示部を前側に臨ませる開口部３１ａが画成されている。図３に示す如く、枠状装飾部材３１における開口部３１ａの上側に、該開口部３１ａの横幅寸法と略程度の横幅寸法に設定された大型の第１装飾部品５３が配設されている。この第１装飾部品５３は、裏側に配設された発光装置によって裏側から照明されるよう構成される。また、枠状装飾部材３１における開口部３１ａの左側に、第１装飾部品５３の左端から前記球導入部４３までに至る第２装飾部品５４が配設されており、該第２装飾部品５４は、裏側に配設された発光装置によって裏側から照明されるよう構成される。第１装飾部品５３および第２装飾部品５４は、メッキ処理が施された非透明な部品を透明部材の前側に配設したり、または透明部材自体にメッキ処理を施して非透明部と透明部とを形成するよう構成され、透明部が裏側から照明されて明輝するよう構成される。なお、第１装飾部品５３および第２装飾部品５４に形成される透明部が、パチンコ機１０のモチーフとなるキャラクタのロゴや関連する意匠を表わすようになっており、該透明部が明輝することで図柄表示装置１８の表示部で実行される図柄変動演出を盛り上げ得るよう構成される。
【００２９】
前記枠状装飾部材３１における開口部３１ａの右側には、図３または図６に示す如く、前記第２始動入賞装置３４の上側に第３装飾部品(装飾部)５５および第４装飾部品(装飾部)５６が配設されている。なお、第２始動入賞装置３４の前側には、非光透過性の意匠部材５７が配設されており、該意匠部材５７と前記第１装飾部品５３の右端との間に第３装飾部品５５と第４装飾部品５６とが位置している。
【００３０】
(第３装飾部品５５について)
前記第３装飾部品５５は、全体が透明(透光性)の部材の表面に、非透明な部材を配設したり透明部材自体に塗料を塗布する等して非透明部と透明部とを形成したものであって、該透明部によってパチンコ機１０のモチーフとなる意匠が表わされるようになっている。第３装飾部品５５の表面および裏面に、後述する発光装置７４の第１発光体７６ａから照射される光を拡散する凹凸による光拡散処理が施されている。なお、第３装飾部品５５の表面と裏面とに施される光拡散処理による凹凸の形状が異なるように構成されている。
【００３１】
前記第３装飾部品５５は、前記枠状装飾部材３１の枠状基部３７に対して第１取着部材５８を介して着脱自在に配設されるよう構成される。そして、第３装飾部品５５は、枠状基部３７に配設された状態で、図１０,図１１に示す如く、右側(第２球流下経路２１ｂに臨む側)から開口部３１ａの中央側に向かうにつれて後方に向けて変位するように湾曲形成されており、該第３装飾部品５５の全体が、前記図柄表示装置１８の表示部の正面前方を向くよう設定されている。第３装飾部品５５の裏面には、ネジ孔を形成した一対の第１固定ボス５５ａ,５５ａが上下に離間して後方に向けて突設されており(図８参照)、該固定ボス５５ａ,５５ａに第１取着部材(支持部)５８がネジ等の固定手段によって着脱自在に固定されるよう構成されている。
【００３２】
前記第１取着部材５８は、図９に示す如く、前記枠状基部３７に固定される第１取付基部５９と、第３装飾部品５５に固定される第２取付基部６０とを、所定角度で折曲形成した全体が透明の部材であって、第１取付基部５９が、枠状基部３７に設けた第１固定部６１に対して着脱自在に固定されるよう構成される。該第１固定部６１は、図７,図１０に示す如く、枠状基部３７の前縁から内側(開口部３１ａの中央部側)に向けて延出する基部６１ａと、該基部６１ａの延出端から後方に向けて延在する接続部６１ｂと、該接続部６１ｂの後端から内側(開口部３１ａの中央部側)に向けて延在する取着部６１ｃとから構成される。取着部６１ｃには、上下に離間して２つの通孔６１ｄが形成されると共に、各通孔６１ｄに近接する位置に位置決め孔６１ｅが夫々穿設されている。また、前記第１取着部材５８の第１取付基部５９に、ネジ孔を形成した一対の第２固定ボス５９ａ,５９ａが上下に離間して前方に向けて突設されると共に、第１取付基部５９の裏面には、各第２固定ボス５９ａの形成位置に近接して位置決め突起５９ｂが後方に向けて突設されている。そして、各位置決め突起５９ｂを対応する位置決め孔６１ｅに取着部６１ｃの前側から挿入することで、取着部６１ｃの通孔６１ｄと第２固定ボス５９ａのネジ孔とが前後に整合するようになっている。すなわち、位置決め突起５９ｂおよび位置決め孔６１ｅによって第１取着部材５８の各第２固定ボス５９ａのネジ孔を第１固定部６１の対応する通孔６１ｄに整合するように第１取付基部５９の裏面を取着部６１ｃの前面に当接した状態で、各通孔６１ｄに後側から挿通した固定手段としてのネジ(図示せず)を第２固定ボス５９ａのネジ孔に螺挿することで、第１取着部材５８が第１固定部６１(枠状装飾部材３１)に固定されるよう構成される。
【００３３】
前記第１取着部材５８の第２取付基部６０には、上下に離間して２つの通孔６０ａが形成されており、第２取付基部６０の前面を前記第３装飾部品５５の第１固定ボス５５ａ,５５ａの後端(突出端)に当接した状態で、各通孔６０ａに後側から挿通した固定手段としてのネジ(図示せず)を第１固定ボス５５ａのネジ孔に螺挿することで、第３装飾部品５５の裏側に第１取着部材５８が固定されるよう構成される。前記枠状装飾部材３１の第１固定部６１における取着部６１ｃは、図１１に示す如く、前記板状部材２０の板面と平行に延在しており、該取着部６１ｃに第１取付基部５９を固定した状態で、該第１取付基部５９に対して第２取付基部６０は左斜め後方に向けて延在(すなわち枠状基部３７から離間するにつれて後方に変位するように延在)するよう構成される。そして、該第２取付基部６０に固定された第３装飾部品５５は、前述したように、枠状装飾部材３１の枠状基部３７から開口部３１ａの中央部側に向かうにつれて後方に変位するように延在する。また、第１取着部材５８には、後述する発光装置７４の第１発光体８４ａから照射される光を拡散する光拡散処理が施されている。
【００３４】
前記第１固定部６１の取着部６１ｃは、図１１に示す如く、前記枠状基部３７の前後方向の略中間に位置しており、該取着部６１ｃに第１取着部材５８を介して固定された第３装飾部品５５は、右端部が前記庇状部３８より前側に位置すると共に、左端部(開口部３１ａの中央部を向く側)が前記板状部材２０の裏面より後方まで延在するよう構成してある。また、枠状装飾部材３１に第１取着部材５８を固定するネジおよび該第１取着部材５８に第３装飾部品５５を固定するネジは、何れも枠状装飾部材３１を取り付けた板状部材２０の第１装着口２８の内側に位置して該第１装着口２８を介して裏側に露出するよう構成されている。すなわち、板状部材２０から設置部材１９を取り外した状態において、板状部材２０の裏側から各ネジにアクセスして、枠状装飾部材３１に対して第３装飾部品５５を取り付けたり取り外したりすることが可能に構成されている。実施例では、第３装飾部品５５に固定されている第１取着部材５８を、ネジによって枠状装飾部材３１の第１固定部６１に対して着脱可能に固定し得るように構成されると共に、第１固定部６１に固定されている第１取着部材５８に対して、第３装飾部品５５をネジによって着脱可能に固定し得るように構成されている。すなわち、実施例では、枠状装飾部材３１に対して第３装飾部品５５を着脱自在に取り付けるための第１固定部６１および第１取着部材５８が取付部として機能する。なお、第１取着部材５８および第１固定部６１は、第３装飾部品５５の外縁部から外方に突出しない寸法に設定されており、第３装飾部品５５を正面側から見た場合に、該第１取着部材５８および第１固定部６１は第３装飾部品５５によって覆われて隠されるようになっている。
【００３５】
(第４装飾部品５６について)
前記第４装飾部品５６は、前記第３装飾部品５５より小型の部材であって、全体が光透過性に形成されており、枠状装飾部材３１の枠状基部３７に設けた第２固定部６２に対して第２取着部材６３を介して着脱自在に取り付けられるよう構成される(図７参照)。この第２固定部６２および第２取着部材６３の構成は、前記第１固定部６１および第１取着部材５８の構成と同じであって、第２取着部材６３は、第４装飾部品５６および第２固定部６２に対して夫々ネジを介して着脱自在に固定されるよう構成される。また、第４装飾部品５６は、第３装飾部品５５と同様に、前記板状部材２０の裏側から各ネジにアクセスして枠状装飾部材３１に対して取り付けたり取り外し得るよう構成される。なお、第４装飾部品５６は、全体が光透過性の不透明に構成されて、後述する発光装置７４から照射される光による明輝態様が、前記第３装飾部品５５の明輝態様とは異なるようにしてある。
【００３６】
前記枠状装飾部材３１における第３装飾部品５５および第４装飾部品５６の配設位置の間に、前記台板部３９から前側に膨出する全体が透明(透光性)で後方に開口する発光装飾部６４が設けられている。この発光装飾部６４に光拡散処理が施されると共に、該発光装飾部６４の後方には、枠状装飾部材３１に配設された光透過性の光拡散部材６５(図７参照)が対向するよう位置している。この光拡散部材６５には、ダイヤモンドカット等の凹凸による光拡散処理が施されており、後述する発光装置７４から照射された光が該光拡散部材６５で拡散して明輝する状態を発光装飾部６４を介して視認可能にしている。すなわち、光拡散部材６５を介して視認可能な発光装置７４から照射される光による明輝態様は、前記第３装飾部品５５および第４装飾部品５６での明輝態様とは異なるようになっている。
【００３７】
(設置部材１９について)
前記設置部材１９は、前記板状部材２０の外郭形状より僅かに小さな形状に形成された略矩形状の背面板４５と、該背面板４５の外周縁部から前方に突出する画壁部４６とから前方に開口した箱状に形成されて、該画壁部４６の開口前端部を板状部材２０の裏面に当接させた状態で、当該板状部材２０と設置部材１９とがネジにより固定される。そして、設置部材１９において板状部材２０との間に画成される空間に、各種の可動演出装置７１や各種の発光装置７４等が設置されて、設置部材１９を基材とする１つのユニットとして扱い得るようになっている(図４参照)。また、前記設置部材１９の背面板４５には、前記枠状装飾部材３１の開口部３１ａと前後に整列する位置に、略矩形状の開口部１９ａが前後に開口するよう開設されると共に、該背面板４５の裏側に前記図柄表示装置１８が着脱自在に取り付けられて、該開口部１９ａを介して図柄表示装置１８の表示部が板状部材２０(遊技盤Ｍ)の前側に臨むようになっている。
【００３８】
(画壁部４６の支持段部４６ｂについて)
前記設置部材１９における右側の画壁部(側壁)４６は、図６または図１０に示す如く、前記背面板４５の側端縁から前方に向けて延在する第１側壁４６ａと、該第１側壁４６ａの前端縁に連設されて外側(左側方)に延在する支持段部４６ｂと、支持段部４６ｂの延出端縁に連設されて前方に向けて延在する第２側壁４６ｃとを備える。支持段部４６ｂには、上下に離間して装置取着部(取着部)４６ｄ,４６ｅが設けられており、該装置取着部４６ｄ,４６ｅを介して後述する球排出経路部材６７および発光装置７４がネジ止め固定されるようになっている(図５参照)。実施例では、装置取着部４６ｄ,４６ｅとして、上側にネジ孔が形成された位置決め用ネジボス部が設けられると共に、下側に位置決め用突部が設けられ、発光装置７４に設けた対応する装置被取着部８３ａ,８３ｂを対応する位置決め用ネジボス部および位置決め用ネジ突部に位置決めした状態でネジ止め固定されるようになっている。
【００３９】
(球排出経路部材６７について)
前記設置部材１９には、前記第２始動入賞口３４ａ、特別入賞口３３ｂ、普通入賞口５０に入賞したパチンコ球(セーフ球)および第２アウト口５２に入球したパチンコ球(アウト球)を排出案内する球排出経路部材６７が配設されている。この球排出経路部材６７には、第２始動入賞口３４ａに入賞したパチンコ球を排出案内する入賞球排出経路、特別入賞口３３ｂに入賞したパチンコ球を排出案内する特別入賞球排出経路、普通入賞口５０に入賞したパチンコ球を排出案内する普通入賞球排出経路および、第２アウト口５２に入球したパチンコ球を排出案内するアウト球排出経路が形成される。また球排出経路部材６７には、図５に示す如く、入賞球排出経路を第２始動入賞口３４ａに連通する入賞用開口６７ａおよびアウト球排出経路を第２アウト口５２に連通するアウト用開口６７ｂが前方に向けて開口すると共に、特別入賞球排出経路を特別入賞口３３ｂに連通する特別用開口６７ｃが上方に向けて開口している。また、普通入賞球排出経路を普通入賞口５０に連通する普通用開口６７ｄが前方に向けて開口している。
【００４０】
(磁気センサ６８について)
図５に示す如く、前記球排出経路部材６７の上部右側に、磁気センサ６８を着脱自在に取り付けるためのセンサ設置部６９が一体的に設けられている。このセンサ設置部６９には、固定手段としての皿ビス７０を介して磁気センサ６８が位置決め固定されるよう構成されており、球排出経路部材６７を取り付けた設置部材１９を板状部材２０の裏側に取り付けた状態で、磁気センサ６８が板状部材２０の裏面に近接位置して(図１０参照)、前記前枠１３の透視保護板１３ｂに磁石が近づけられたときに、該磁石の磁気を磁気センサ６８で検出し得るよう構成される。なお、磁気センサ６８は、前記制御装置に電気的に接続されて、該磁気センサ６８が磁気を検出した際に、制御装置が警報を発するようにスピーカを制御したり、打球発射装置１６の作動を停止制御するよう構成される。
【００４１】
前記センサ設置部６９には、前後に貫通する通孔が形成されており、該センサ設置部６９の裏面を前記支持段部４６ｂの前面に当接した状態で、通孔に前側から挿通したネジによって該センサ設置部６９を支持段部４６ｂにネジ止めすることで、球排出経路部材６７の上部側が設置部材１９に対して位置決め固定されるよう構成される。なお、球排出路部材６７の下部側は、複数箇所において前記背面板４５にネジ止め固定されるようになっている。
【００４２】
(可動演出装置７１について)
前記設置部材１９には、前記第２球流下経路２１ｂの裏側に臨む部分に、左右方向に往復移動自在な可動体７２を備えた可動演出装置７１が配設されており、前記図柄表示装置１８で行われる図柄変動演出に合わせて可動体７２を作動させることで、遊技の興趣を向上するよう構成してある。可動体７２は、前記背面板４５における開口部１９ａの下端縁より上側に延在して、該背面板４５の前面に沿って左右方向に直線的に往復移動可能に支持されている。また可動演出装置７１は、図６に示す如く、前記背面板４５における開口部１９ａの下端縁より下方に配設されて可動体７２に連繋した駆動手段７３を備え、該駆動手段７３によって可動体７２は、前記枠状装飾部材３１の開口部３１ａに臨んで前側に露出する作動位置(開口部３１ａの中央部側の位置)と、開口部３１ａの中央側から作動位置より離れて枠状装飾部材３１および板状部材２０の裏側に隠れる待機位置(開口部３１ａの縁部側の位置)との間を往復移動するよう構成される。そして、可動体７２は、図１０,図１１に示す如く、待機位置において背面板４５と球排出経路部材６７との間に画成される空間Ｓ１に下端部が収容されるようになっている。
【００４３】
(発光装置７４について)
前記球排出経路部材６７の上端部には、待機位置に位置する可動体７２の前方に臨む発光装置７４が配設されている。発光装置７４は、待機位置に位置する可動体７２と前記枠状装飾部材３１の第３装飾部品５５、第４装飾部品５６および発光装飾部６４との間に臨んでおり(図１２参照)、該発光装置７４に設けた発光体７６ａ,７６ｂ,７６ｃを点灯することで、第３装飾部品５５、第４装飾部品５６および発光装飾部６４を裏側から照らして明輝させ得るよう構成される。
【００４４】
前記発光装置７４は、図６に示す如く、全体が透明(透光性)で後方に開口するカバー体７５と、該カバー体７５の裏側に配設された発光基板７６と、該発光基板７６の前面に実装されて前方に向けて光を照射するＬＥＤ等の複数の発光体７６ａ,７６ｂ,７６ｃとを備え、発光基板７６の前面(発光体の実装面)はカバー体７５で覆われて保護されている。発光装置７４は、カバー体７５の下端部が前記球排出経路部材６７の上端部および該球排出経路部材６７に設けた前記センサ設置部６９の夫々にネジ止め固定されて、球排出経路部材６７と一体的に取り扱い得るよう構成される(図５参照)。また、カバー体７５の右側部(一側部)に、上下に離間して装置被取着部(被取着部)８３ａ,８３ｂが設けられ、該装置被着取部８３ａ,８３ｂが、前記支持段部４６ｂに設けた装置取着部４６ｄ,４６ｅに対して着脱自在に取着されて、該発光装置７４は設置部材１９の画壁部４６に片持ち支持されるよう構成されている。実施例では、上側の装置被取着部８３ａは、支持段部４６ｂの上側に設けた装置取着部４６ｄとしての位置決め用ネジボス部が後側から嵌合可能な凹部が形成されると共に通孔が形成された固定用通孔形成部として構成されると共に、下側の装置被取着部８３ｂは、支持段部４６ｂの下側に設けた装着取着部４６ｅとしての位置決め用突部が後側から嵌合可能な凹部が形成された位置決め用凹部として構成されている。そして、固定用通孔形成部(装置被取着部８３ａ)および位置決め用凹部(装置被取着部８３ｂ)に対応する位置決め用ネジボス部(装着取着部４６ｄ)および位置決め用突部(装着取着部４６ｅ)を嵌合した状態で、固定用通孔形成部(装置被取着部８３ａ)の通孔に前側から挿通したネジを位置決め用ネジボス部(装着取着部４６ｄ)のネジ孔に螺挿することで、当該発光装置４７の右側部が前記設置部材１９における支持段部４６ｂの前面にネジ止め固定されるよう構成されている。なお、実施例では、カバー体７５における下側の装置被取着部８３ｂの下側に、前記球排出経路部材６７に設けたセンサ設置部６９がネジ止めされており、該センサ設置部６９を支持段部４６ｂにネジ止めすることで、センサ設置部６９を介して発光装置４７の右側部下側が間接的に支持段部４６ｂにネジ止め固定されるようになっている。すなわち、発光装置７４を配設した球排出経路部材６７を設置部材１９にネジ止め固定した状態で、該発光装置７４は、支持段部４６ｂから内側(枠状装飾部材３１の開口部３１ａ中央側)に向けて前記板状部材２０の板面に沿って延在して前記可動体７２の前方に張り出すよう構成される(図１０,図１１参照)。
【００４５】
前記発光装置７４は、図１０,図１１に示す如く、枠状装飾部材３１の枠状基部３７より開口部３１ａの中央部側に所定長さで延出するよう構成されており、該枠状基部３７の内側に延出する発光基板７６の延出部７６ｄに実装されている複数の第１発光体７６ａは、前記第３装飾部品５５の後方に臨むようになっている。また、発光基板７６には、図６または図１２に示す如く、前記第４装飾部品５６の裏側に対向する部分に複数の第２発光体７６ｂが実装されると共に、前記発光装飾部６４(光拡散部材６５)の裏側に対向する部分に複数の第３発光体７６ｃが実装されている。すなわち、発光基板７６において発光させる発光体７６ａ,７６ｂ,７６ｃを選択することで、前記第３装飾部品５５、第４装飾部品５６および発光装飾部６４(光拡散部材６５)を選択して照明し得るよう構成される。なお、発光体７６ａ,７６ｂ,７６ｃとしては、フルカラーＬＥＤまたは単色発光ＬＥＤを採用し得ると共に、フルカラーＬＥＤからなる発光体と単色発光ＬＥＤからなる発光体とを組み合わせることもできる。
【００４６】
前記複数の第１発光体７６ａの一部は、前記第３装飾部品５５に向けて直接光を照射する位置に設けられると共に、一部は第３装飾部品５５を枠状装飾部材３１に固定するための前記第１取着部材５８に向けて照射する位置に設けられている。すなわち、第１取着部材５８が一部の第１発光体７６ａの前側に位置して、該発光体７６ａから照射された光を第１取着部材５８で拡散して第３装飾部品５５を照明し得るよう構成される。また、前記板状部材２０の板面に沿って延在する発光基板７６に実装されている第１発光体７６ａの光軸は、枠状装飾部材３１に対して第１取着部材５８を介して固定されている第３装飾部品５５の裏面に対して傾斜するようになっている。そして、第１発光体７６ａから第１取着部材５８に照射される光は、該第１取着部材５８で拡散して、該第１発光体７６ａの光軸に対して傾斜している第３装飾部品５５の裏面を広い範囲で照明し得るよう構成される。また、第１取着部材５８における第３装飾部品５５が固定される第２取付基部６０は、第３装飾部品５５の裏面に略沿うように延在して第１発光体７６ａの光軸に対して傾斜するよう構成されているので、該第１取付基部６０に向けて照射されて拡散する光によって第３装飾部品５５の裏面を広い範囲で照明することができる。
【００４７】
前記発光装置７４には、前記球排出経路部材６７に対するネジ止め部に近接して位置決め部７５ａが設けられ、前記枠状装飾部材３１に設けた被位置決め部７８を該位置決め部７５ａに係合することで(図１１参照)、発光装置７４に対して枠状装飾部材３１が位置決めされるよう構成される。被位置決め部７８は、枠状装飾部材３１の前記第１固定部６１における取着部６１ｃに設けられており(図７参照)、位置決め部７５ａと被位置決め部７８とを係合することで、発光装置７４と第３装飾部品５５とが精度よく位置決めされるよう構成される。
【００４８】
(実施例の作用)
次に、前述のように構成された実施例に係るパチンコ機１０の作用につき説明する。
【００４９】
前記前枠１３の前面側に設けられた前記操作ハンドル１７の操作レバー１７ａを遊技者が回転操作すると、前記打球発射装置１６から発射されたパチンコ球が前記板状部材２０に設けた案内レール２３により画成された発射通路２３ａを通って打出し口２３ｂから遊技領域２１内に打ち出される。このとき、前記操作レバー１７ａの回動量に応じてパチンコ球の打ち出し位置が変化し、打ち出し位置に応じて遊技領域２１の第１球流下経路２１ａまたは第２球流下経路２１ｂをパチンコ球が流下する。第１球流下経路２１ａまたは第２球流下経路２１ｂを流下するパチンコ球が第１始動入賞装置３２または第２始動入賞装置３４に入賞すると、前記制御装置の制御に基づいて前記図柄表示装置１８での図柄変動演出が開始され、図柄変動演出の結果、図柄表示装置１８に所定の図柄組み合わせが表示されると大当りが発生する。大当りが発生すると、図柄表示装置１８に表示された図柄組み合わせに応じて、前記板状部材２０の右方(第２球流下経路２１ｂ)に設けられた特別入賞装置３３が開放されると共に、前記制御装置の制御に基づいて図柄表示装置１８において大当り演出が行われる。
【００５０】
前記パチンコ機１０では、前記図柄表示装置１８で行なわれる図柄変動演出や大当り演出に応じて、前記各発光装置７４の発光体７６ａ,７６ｂ,７６ｃが発光されたり点滅され、前記枠状装飾部材３１の開口部３１ａの外周において行われる装飾部品５３,５４,５５,５６や発光装飾部６４による発光演出により遊技の興趣が向上される。また、前記遊技盤Ｍ(板状部材２０)における枠状装飾部材３１の開口部３ａより右側には、特別入賞装置３３、第２始動入賞装置３４およびゲート部材３６が配設されており、遊技者が注目する領域であり、該領域における発光演出によって遊技の興趣を向上することができる。
【００５１】
実施例では、前記枠状装飾部材３１の右側の領域には、第３装飾部品５５、第４装飾部品５６および発光装飾部６４が上下方向に並んで設けられている。そして、これらの装飾部品５５,５６や装飾部６４の裏側に、図１２に示す如く、前記発光装置７４が配設されている。すなわち、発光装置７４の第１発光体７６ａを発光することで、前記第３装飾部品５５を照明することができ、第２発光体７６ｂを発光することで、前記第４装飾部品５６を照明することができ、第３発光体７６ｃを発光することで、前記発光装飾部６４(光拡散部材６５)を照明することができる。第３装飾部品５５、第４装飾部品５６および発光装飾部６４に表われる明輝態様は夫々異なるよう構成してあるので、各装飾部品５５,５６や装飾部６４を個別に照明する演出や、各装飾部品５５,５６や装飾部６４を組み合わせて照明する演出によって、より興趣を向上することができる。
【００５２】
(第３装飾部品５５での明輝態様について)
前記発光装置７４の第１発光体７６ａを発光すると、該第１発光体７６ａの光は、前記第３装飾部品５５に向けて照射される。第１発光体７６ａと第３装飾部品５５との間には、図１０,図１１に示す如く、光拡散作用を奏する前記第１取着部材５８が位置しているので、該第１取着部材５８に照射された光が拡散することで第３装飾部品５５を効果的に照明することができる。しかも、実施例では、第３装飾部品５５に直接光を照射する第１発光体７６ａと、第１取着部材５８に向けて直接光を照射する第１発光体７６ａとが設けられているので、第３装飾部品５５において第１発光体７６ａからの光が直接照射される領域と、第１取着部材５８を介して光が照射される領域とでの明輝態様が異なる。すなわち、第３装飾部品５５において、明輝態様が異なる複数の領域を設けてあるので、全体が同じ形態で明輝する場合に比べて演出効果を向上することができる。また、第１取着部材５８は、第３装飾部品５５を枠状装飾部材３１に取り付けるための部材であるので、専用の光拡散部材を用いる場合に比べて部品点数を低減し得ると共に構造の簡略化が可能となる。
【００５３】
前記第３装飾部品５５は、図１０,図１１に示す如く、右側から左側に向かうにつれて後方に変位するように湾曲形成されており、前記枠状装飾部材３１の枠状基部３７の内側への突出寸法を大きくすることなく照明可能な面を広くし得るようになっている。従って、第１発光体７６ａから照射される光によって第３装飾部品５５を明輝して興趣の高い発光演出が可能となる。しかも、第１発光体７６ａと第３装飾部品５５との間に位置する第１取着部材５８の第２取付基部６０は、第３装飾部品５５の裏面に略沿うように延在しているので、第１発光体７６ａから該第２取付基部６０に向けて照射された光が透過する際に拡散することで第３装飾部品５５の左端部側(開口部３１ａを画成する端側)の広い範囲を明輝させることができ、高い発光演出効果が得られる。
【００５４】
実施例では、前記発光装置７４の後方に位置する可動演出装置７１の可動体７２が、図柄表示装置１８で行なわれる図柄変動演出や大当り演出に応じて、待機位置と作動位置との間を移動することで、前記装飾部品５３,５４,５５,５６や発光装飾部６４による発光演出と相俟ってより遊技の興趣が向上される。また、発光装置７４は、設置部材１９に片持ち支持されて可動体７２の前方に張り出すように設けられるよう構成してあるので、可動体７２の動作を阻害することなく発光装置７４を任意の位置に設けることができる。すなわち、発光装置７４の配設位置の自由度を高めることができるので、該発光装置７４によって照明する装飾部の位置も任意に設定することが可能となり、図柄表示装置１８の表示部で実行される表示演出と装飾部での発光演出とによって視覚的な演出効果を向上し得る。更に、可動体７２の待機位置側の画壁部４６から該可動体７２の前方に張り出すように発光装置４７を片持ち支持しているので、可動体７２の待機位置から作動位置への移動を妨げるような位置に発光装置４７を設置部材１９に取り付けるための部分は設けられておらず、可動体７２の動作の自由度を高めて動作による演出効果を向上することができる。
【００５５】
実施例のパチンコ機１０では、枠状装飾部材３１に配設した第３装飾部品５５、第４装飾部品５６および発光装飾部６４を照明する発光装置７４を設置部材１９に設けるよう構成したので、発光装置７４(発光基板７６)の設置スペースを確保するために枠状装飾部材３１の開口部３１ａを小さくする必要はなく、大きな装飾部品を配設して発光演出効果を向上し得ると共に大型の図柄表示装置１８を採用することができる。また、発光基板７６に実装した第１発光体７６ａの光軸に対して第３装飾部品５５の裏面が傾斜する関係となるよう構成したので、第１発光体７６ａの光によって第３装飾部品５５の広い範囲を照明することができ、効果的な発光演出を行い得る。すなわち、第１発光体７６ａからの光が第３装飾部品５５に対して斜めに照射されることで、１つの発光体により照射される範囲が広がり、少ない発光体によって広範囲での照明が可能となる。また、第３装飾部品５５を湾曲形成することで、照明可能な範囲を広くしつつ枠状基部３７から内側への突出寸法を小さく抑え得るようになっているので、前記開口部３１ａの周囲での発光演出効果を向上させつつ開口部３１ａを大きくすることができ、より大型の図柄表示装置１８を採用し得る。
【００５６】
実施例のパチンコ機１０では、前記枠状装飾部材３１に配設した第３装飾部品５５を照明する発光装置７４を設置部材１９に設けているので、該枠状装飾部材３１が取り付けられている板状部材２０から設置部材１９を取り外すことで、第３装飾部品５５の裏側を露出することができる。また、設置部材１９を取り外した状態では、第３装飾部品５５を枠状装飾部材３１に取り付けるネジが板状部材２０の裏側に露出するので、該ネジに裏側からアクセスして第３装飾部品５５を枠状装飾部材３１から簡単に取り外して別の部品に交換することができる。すなわち、基本的な演出内容やデザインを変更することなく大当り確率等のスペックを異ならせた複数種類(大当り確率の低い「メインスペックタイプ」や、該メインスペックタイプより大当り確率を高く設定した「甘いデジタイプ」)のパチンコ機１０をシリーズで提供する場合において、スペックに応じてデザインを異ならせた第３装飾部品５５を枠状装飾部材３１に簡単に取り付けることができるので、外観の違いによってパチンコ機１０の識別性を高めて遊技者が誤認するのを防止し得る。言い替えるなら、枠状装飾部材３１の全体を、スペックに応じたデザインに変更する多くの手間や費用を費やすことなく、第３装飾部品５５を交換するだけで、簡単かつ低コストでスペックが異なるパチンコ機１０の識別性を高めることができる。また、枠状装飾部材３１に対する第３装飾部品５５の交換は簡単であるので、該第３装飾部品５５を手軽に交換してパチンコ機１０の見た目を変更することもできる。更に、第３装飾部品５５と発光装置７４(発光基板７６)とは別体となっているので、発光装置７４をリユースするに際して第３装飾部品５５から発光装置７４(発光基板７６)を取り外す手間は必要なく、リユース性が高い。
【００５７】
また、実施例では、前記枠状装飾部材３１に対して第３装飾部品５５を固定するための第１取着部材５８を、該第３装飾部品５５に対して着脱自在に構成しているので、第３装飾部品５５自体の取り付け構造は第１固定ボス５５ａを設けただけの簡単な構成とすることができる。すなわち、枠状装飾部材３１に設けた第１固定部６１に対して第３装飾部品５５の裏面を、前記板状部材２０の板面に沿うように配置した発光基板７６における第１発光体７６ａの光軸に対して傾斜させるための複雑な取り付け構造を第３装飾部品５５に設ける必要はないので、該第３装飾部品５５のデザイン変更が容易となる。
【００５８】
(別実施例について)
図１３は、別実施例に係るパチンコ機の要部を示すものであって、前述した実施例と異なる部分についてのみ説明し、同一部材には同じ符号を付して示すものとする。
【００５９】
別実施例のパチンコ機では、前記枠状装飾部材３１の枠状基部３７における前記設置部材１９に配設した発光装置７４の前側に臨む部位に、光を透過可能な基部側光透過部７９が設けられている。具体的に基部側光透過部７９は、前記第３装飾部品５５を固定するための第１固定部６１が設けられる領域に設けられており、該第１固定部６１に固定されている前記第１取着部材５８が、該基部側光透過部７９の内側に位置するよう構成される。また、第１取着部材５８における前記第２取付基部６０は、図１３に示す如く、基部側光透過部７９に近接する端部(右端部)から離間するにつれて後方に向けて傾斜しており、前記第１発光体７６ａから照射された光は、一部が第２取付基部６０を透過すると共に一部が第２取付基部６０の表面で基部側光透過部７９に向かうように反射可能に構成されている。すなわち、別実施例において第２取付基部６０は、第１発光体７６ａから照射された光を透過光と反射光とに分岐するビームスプリッタとして機能するよう構成されており、第２取付基部６０の表面にハーフミラーのシートやフィルムを貼付したり、該第２取付基部６０自体をハーフミラーで構成することで、反射効率を高めることができる。なお、枠状基部３７の全体を透明に形成することで、基部側光透過部７９が設けられるようにしてもよい。
【００６０】
前記基部側光透過部７９の外側に位置する前記板状部材２０に、基部側光透過部７９を透過した光を前方に向けて透過可能な板側光透過部８０が設けられている。この板側光透過部８０は、板状部材２０における前第１装着口２８側に開口するように形成された孔部に透明部材を配設して構成される。また、板側光透過部８０の裏面には、光を透過することなく基部側光透過部７９に入射した光を前方に向けて反射可能な非光透過部８１が設けられている。この非光透過部８１は、非光透過性の塗料を塗布したり非光透過性の部材やシール等を配設することで設けることができる。なお、板側光透過部８０に、光拡散処理を施すことが好ましい。
【００６１】
すなわち、前記第１発光体７６ａから第１取着部材５８の第２取付基部６０に照射された光は、該第２取付基部６０に対して斜めに当ることで、一部が反射すると共に一部が第２取付基部６０を透過する。そして、第２取付基部６０を透過する際に拡散した光によって、前記第３装飾部品５５を照明することができる。また、第２取付基部６０で反射された光は、前記基部側光透過部７９を透過して板側光透過部８０に入射し、該板側光透過部８０を明輝させることができる。なお、板側光透過部８０の裏面には光を前方に向けて反射可能な非光透過部８１が設けられているので、側方から板側光透過部８０に入射された光は該非光透過部８１によって前方に反射されて、該板側光透過部８０を効果的に明輝させ得る。すなわち、別実施例のパチンコ機では、枠状装飾部材３１に配設された第３装飾部品５５を照明する第１発光体７６ａの光によって、板状部材２０の板側光透過部８０(遊技領域)を照明することができる。すなわち、板側光透過部８０を照明するための専用の発光体を設ける必要はなく、部品点数を削減し得る。
【００６２】
なお、前記第１取着部材５８にプリズムを設けて光を分散する構成としてもよい。また、第３装飾部品５５にレンズ部を設けることも可能である。
【００６３】
(変更例)
本願は前述した実施例の構成に限定されるものではなく、その他の構成を適宜に採用することができる。
(1) 実施例では、枠状装飾部材における開口部の右側に第３装飾部品(装飾部)を配設したが、該第３装飾部品は、開口部の上側や右側等、任意の位置に設けることができる。
(2) 第３装飾部品(装飾部)を枠状装飾部材に取り付ける第１取着部材として、図１４に示す構造の変更例を採用することができる。この変更例に係る第１取着部材８２には、第１取付基部５９の前面における一対の第２固定ボス５９ａ,５９ａの間に、前方に突出する支持片８２ａが突設されている。そして、第２取付基部６０を介して第３装飾部品５５を第１取着部材５８に固定した際に、支持片８２ａが第３装飾部品５５における第１固定ボス５５ａから離間した位置の裏面に当接して該第３装飾部品５５を支持し得るよう構成される。すなわち、変更例の第１取着部材８２によれば、第３装飾部品５５を３箇所(第２取付基部６０と第１固定ボス５５ａ,５５ａとの当接部および支持片８２ａと第３装飾部品５５の裏面との当接部)で安定して支持し得る。また、支持片８２ａは、第１取付基部５９および第２取付基部６０に対して異なる方向に向けて延在しているので、該支持片８２ａに光拡散処理を施すことで、第１発光体から照射される光をより多方向に拡散することができる。なお、図１４に示す第１取着部材８２では、実施例で説明した第１取着部材５８と同じ部分については同じ符号を付している。
【００６４】
(3) 実施例では、第３装飾部品(装飾部)を、別部材の第１取着部材を介して枠状装飾部材に取り付けるよう構成したが、第１取着部材が第３装飾部品に一体で設けられているものであってもよい。
(4) 実施例では、発光基板を板状部材の板面に平行に延在するように配置するのに対し、第３装飾部品(装飾部)を板状部材の板面に対して傾斜(湾曲)するよう構成することで、第１発光体(発光体)の光軸と第３装飾部品(装飾部)の裏面とが傾斜するよう構成したが、第３装飾部品(装飾部)を板状部材の板面に平行に延在するように配置するのに対して、発光基板を板状部材の板面に対して傾斜するように配置する構成を採用し得る。また、板状部材の板面に対して発光基板および第３装飾部品(装飾部)の何れも傾斜するように配置することで、第１発光体(発光体)の光軸と第３装飾部品(装飾部)の裏面とが傾斜するようにしてもよい。
(5) 実施例では、複数の部材(第３装飾部品、第４装飾部品、発光装飾部)を照明する発光体を共通の発光基板に実装した場合で説明したが、各部材を照明する発光体を別々の発光基板に実装する構成を採用することができる。
(6) 実施例では、可動体を枠状装飾部材における開口部の右側後方から開口部中央に向けて移動可能に設けたが、該可動体を開口部の上側後方や右側後方から開口部中央に向けて移動可能に設ける構成を採用し得る。そして、可動体の配設位置に応じて、発光装置を片持ち支持する設置部材の側壁の位置を設定すればよい。
(7) 実施例では、発光装置を球排出経路部材にネジ止め固定して、該球排出経路部材と発光装置とを一体的に取り扱い得るよう構成したが、発光装置を単独で設置部材に対して着脱自在に構成することができる。
(8) 実施例において、第１取着部材にプリズムを設け、１つのフルカラーＬＥＤからの光を分散して、第３装飾部品における各照射領域によって照明される色を異ならせるようにすることができる。
(9) 別実施例では、板状部材に設けた孔部に透明部材を配設して板側光透過部を構成したが、透明部材に代えて、外周端面から内部に導入される光が反射することで前側から視認可能となる図柄がレーザー彫刻方法等によって形成された透明パネルを配設するようにしてもよい。この透明パネルを用いることで、第１取着部材で反射した光が透明パネルの該第１取着部材を向く外周端面から内部に導入されることで、遊技領域において図柄が前側から視認可能となって浮き出るように表示され、演出効果を向上し得る。
(10) 実施例では、板状部材を木材板から構成した場合で説明したが、アクリル板等の透明板で構成したものであってもよい。この場合には、別実施例の板側光透過部を別途設ける必要はなく、板状部材における第１取着部材の側方に対応する領域を第１発光体によって明輝させることができる。
(11) 実施例では、遊技機としてパチンコ機を例示して説明したが、これに限られるものではなく、アレンジボール機やピンボール機、スロットマシン機等の各種遊技機を採用し得る。
【００６５】
遊技機に関しては、実施例から以下の技術的思想を把握することができる。
(付記１)
請求項１〜３の何れか一項に記載の遊技機において、
前記装飾部(55)は、枠状基部(37)から離間するにつれて後側に向けて変位するように形成される。
付記１の遊技機によれば、装飾部の枠状基部から内側への突出寸法を抑えたもとで、装飾部によって広い範囲を光装飾できる。
【００６６】
(付記２)
請求項３に記載の遊技機において、
前記取付部(58,82)が発光体(76a)の光軸に対して傾斜して配置され、発光体(76a)から取付部(58,82)に向けて照射された光は、一部が取付部(58,82)を透過して前記装飾部(55)を照明すると共に、一部が基部側光透過部に向けて反射するよう構成される。
付記２の遊技機によれば、装飾部を枠状装飾部材に取り付けるための取付部を利用して装飾部および板側光透過部を照明し得る。
【符号の説明】
【００６７】
１８ 図柄表示装置
１９ 設置部材
２０ 板状部材
２１ 遊技領域
２８ 第１装着口(貫通口）
３１ 枠状装飾部材
３１ａ 開口部
５５ 第３装飾部品(装飾部)
５８ 第１取着部材(取付部)
６１ 第１固定部(取付部)
７６ 発光基板
７６ａ 第１発光体(発光体)
７９ 基部側光透過部
８０ 板側光透過部
８２ 第１取着部材(取付部)
【図１】
2015029852.tif 000003
【図２】
2015029852.tif 000004
【図３】
2015029852.tif 000005
【図４】
2015029852.tif 000006
【図５】
2015029852.tif 000007
【図６】
2015029852.tif 000008
【図７】
2015029852.tif 000009
【図８】
2015029852.tif 000010
【図９】
2015029852.tif 000011
【図１０】
2015029852.tif 000012
【図１１】
2015029852.tif 000013
【図１２】
2015029852.tif 000014
【図１３】
2015029852.tif 000015
【図１４】
2015029852.tif 000016